(57)【要約】【課題】小型で消費電力が低い受信回路とそれを用いたダイバーシティ受信装置を提供する。【解決手段】周波数変換器１００の混合器２０は、入力される高周波信号と、入力される局部発振信号とを乗算して混合して高周波信号を所定の周波数変換信号に周波数変換して出力する。スイッチ回路６０は、第１の場合において、局部発振器３０からの局部発振信号を混合器２０に出力しかつ局部発振信号出力端子１３を介して出力する一方、第２の場合において、局部発振信号入力端子１２を介して入力される局部発振信号を混合器２０に出力するように切り換える。制御回路４０は、第１の場合において、局部発振器３０への電源供給をオンしてスイッチ回路６０を制御する一方、第２の場合において、局部発振器２０への電源供給をオフしてスイッチ回路６０を制御する。【選択図】図１
2006203653.tif 000002
【特許請求の範囲】
【請求項１】
局部発振信号出力端子と、局部発振信号入力端子とを含む受信回路であって、
入力される高周波信号と、入力される局部発振信号とを乗算して混合することにより上記高周波信号を所定の周波数変換信号に周波数変換して出力する混合手段と、
所定の局部発振周波数を有する局部発振信号を発生して出力する局部発振手段と、
第１の場合において、上記局部発振手段から出力される局部発振信号を上記混合手段に出力しかつ上記局部発振信号出力端子を介して出力する一方、第２の場合において、上記局部発振信号入力端子を介して入力される局部発振信号を上記混合手段に出力するように切り換える第１のスイッチ回路と、
上記第１の場合において、上記局部発振手段への電源供給をオンするとともに、上記局部発振手段から出力される局部発振信号を上記混合手段に出力しかつ上記局部発振信号出力端子を介して出力するように上記第１のスイッチ回路を制御する一方、上記第２の場合において、上記局部発振手段への電源供給をオフするとともに、上記局部発振信号入力端子を介して入力される局部発振信号を上記混合手段に出力するように上記第１のスイッチ回路を制御する制御手段とを備えたことを特徴とする受信回路。
【請求項２】
請求項１記載の受信回路において、
局部発振信号入出力端子と、
上記第１の場合において、上記局部発振信号から出力される局部発振信号を上記局部発振信号出力端子及び上記局部発振信号入出力端子を介して出力する一方、上記第２の場合において、上記局部発振信号入出力端子を介して入力される局部発振信号を上記局部発振信号入力端子及び上記第１のスイッチ回路を介して上記混合手段に出力するように切り換える第２のスイッチ回路とをさらに備え、
上記制御手段はさらに、上記第１の場合において、上記局部発振信号から出力される局部発振信号を上記局部発振信号出力端子及び上記局部発振信号入出力端子を介して出力するように上記第２のスイッチ回路を制御する一方、上記第２の場合において、上記局部発振信号入出力端子を介して入力される局部発振信号を上記局部発振信号入力端子及び上記第１のスイッチ回路を介して上記混合手段に出力するように上記第２のスイッチ回路を制御することを特徴とする受信回路。
【請求項３】
請求項１記載の複数個の受信回路を備えた受信装置であって、
上記受信装置は、請求項１記載の第１と第２の受信回路を含み、
上記第１の受信回路の上記発振信号出力端子と、上記第２の受信回路の上記発振信号入力端子とが接続され、
上記第１の受信回路の上記制御手段は、上記第１の受信回路において、上記局部発振手段への電源供給をオンするとともに、上記局部発振手段から出力される局部発振信号を上記混合手段に出力しかつ上記局部発振信号出力端子を介して上記第２の受信回路の上記混合手段に出力するように上記第１のスイッチ回路を制御し、
上記第２の受信回路の上記制御手段は、上記第２の受信回路において、上記局部発振手段への電源供給をオフするとともに、上記局部発振信号入力端子を介して入力される局部発振信号を上記混合手段に出力するように上記第１のスイッチ回路を制御することを特徴とする受信装置。
【請求項４】
請求項２記載の複数個の受信回路を備えた受信装置であって、
上記受信装置は、請求項２記載の第１と第２の受信回路を含み、
上記第１の受信回路の上記発振信号入出力端子と、上記第２の受信回路の上記発振信号入出力端子とが接続され、
上記第１の受信回路の上記制御手段は、上記第１の受信回路において、上記局部発振手段への電源供給をオンするとともに、上記局部発振手段から出力される局部発振信号を上記混合手段に出力しかつ上記局部発振信号出力端子、上記第２のスイッチ回路及び上記局部発振信号入出力端子を介して上記第２の受信回路の上記混合手段に出力するように上記第１と第２のスイッチ回路を制御し、
上記第２の受信回路の上記制御手段は、上記第２の受信回路において、上記局部発振手段への電源供給をオフするとともに、上記第１の受信回路から上記局部発振入出力端子を介して入力される局部発振信号を上記第２のスイッチ回路、上記局部発振信号入力端子及び上記第１のスイッチ回路を介して上記混合手段に出力するように上記第１と第２のスイッチ回路を制御することを特徴とする受信装置。
【請求項５】
請求項３又は４記載の受信装置において、
上記第１の受信回路において、上記第１のスイッチ回路と上記混合手段との間に挿入され、上記局部発振信号の移相量を調整するための第１の移相手段をさらに備え、
上記第２の受信回路において、上記第１のスイッチ回路と上記混合手段との間に挿入され、上記局部発振信号の移相量を調整するための第２の移相手段をさらに備え、
上記第１と第２の制御手段は、上記第１の受信回路の上記混合手段に入力される局部発振信号と、上記第２の受信回路の上記混合手段に入力される局部発振信号とを実質的に同相となるように、上記第１の移相手段の移相量と、上記第２の移相手段の移相量とを制御することを特徴とする受信装置。
【請求項６】
請求項３乃至５のうちのいずれか１つに記載の受信装置において、
互いに実質的に同一の無線周波数を有する高周波信号が、上記第１の受信回路の上記混合手段及び上記第２の受信回路の上記混合手段に入力され、
上記第１の受信回路の上記混合手段から出力される第１の周波数変換信号を第１の復調信号に復調し、上記第２の受信回路の上記混合手段から出力される第２の周波数変換信号を第２の復調信号に復調し、上記第１と第２の周波数変換信号の信号品質又は上記第１と第２の復調信号の信号品質に基づいて、より高い信号品質を有する周波数変換信号を復調した復調信号を選択し、もしくはより高い信号品質を有する復調信号を選択して出力するダイバーシティ受信手段をさらに備えたことを特徴とする受信装置。
【請求項７】
請求項３乃至５のうちのいずれか１つに記載の受信装置において、
互いに異なる無線周波数を有する高周波信号が、上記第１の受信回路の上記混合手段及び上記第２の受信回路の上記混合手段に入力され、
上記第１の受信回路の上記混合手段から出力される第１の周波数変換信号を第１の復調信号に復調して出力し、上記第２の受信回路の上記混合手段から出力される第２の周波数変換信号を第２の復調信号に復調して出力する復調手段をさらに備えたことを特徴とする受信装置。
【請求項８】
請求項６記載の受信装置と、
請求項７記載の受信装置とを備えた受信システムであって、
請求項６記載の受信装置の動作と、請求項７記載の受信装置の動作とを選択的に切り換えて動作させる動作切り換え手段を備えたことを特徴とする受信システム。
【発明の詳細な説明】
【技術分野】
【０００１】
本発明は、高周波信号を受信するための受信回路と、それを用いた受信装置及び受信システムに関する。
【背景技術】
【０００２】
図９は第１の従来例に係る無線受信回路の構成を示すブロック図である。図９の無線受信回路は、アンテナ７１と、高周波増幅器７２と、周波数変換器４００と、局部発振器３１と、帯域通過フィルタ７３と、中間周波増幅器７４と、復調器７５と、出力端子７６とを備えて構成される。ここで、周波数変換器４００は、高周波信号入力端子１０と、周波数変換信号出力端子１１と、発振信号入力端子１２と、混合器２０とを備えて構成される。
【０００３】
図９において、送信装置から送信された無線周波数ｆＲＦの無線信号はアンテナ７１で受信された後、高周波増幅器７２で低雑音増幅され、低雑音増幅後の無線信号（以下、高周波信号という。）は高周波信号入力端子１０を介して混合器２０の第１の入力端子に入力される。また、局部発振器３１により発生された局部発振周波数ｆＬＯの局部発振信号は、発振信号入力端子１２を介して混合器２０の第２の入力端子に入力される。混合器２０は、第１の入力端子に入力された高周波信号と、第２の入力端子に入力された局部発振信号とを乗算することにより、当該乗算結果である周波数変換された周波数変換信号を発生して、周波数変換信号出力端子１１を介して帯域通過フィルタ７３に出力する。次いで、帯域通過フィルタ７３は、周波数変換信号から所定の中間周波数ｆＩＦの中間周波信号を帯域通過ろ波した後、中間周波増幅器７４を介して復調器７５に出力する。さらに、復調器７５は入力される中間周波信号を所定の復調方式を用いてベースバンド信号に復調して出力端子７６を介して外部装置に出力する。
【０００４】
ここで、周波数変換器４００は半導体集積回路で構成され、局部発振器３１はトランジスタとインダクタやコンデンサ等で構成された共振回路で構成されることが多いが、トランジスタのみ上記半導体集積回路に内蔵される場合もある。ここで、中間周波信号の中間周波数ｆＩＦは、無線信号の無線周波数ｆＲＦと、局部発振信号の局部発振周波数ｆＬＯを用いて次式（１）で表される。
【０００５】
［数１］
ｆＩＦ＝｜ｆＲＦ±ｆＬＯ｜      （１）
【０００６】
周波数変換器４００は、一般的には、より高い無線周波数ｆＲＦを有する無線信号を、より低い中間周波数ｆＩＦを有する中間周波信号に低域周波数変換し、より低い中間周波数ｆＩＦを有する中間周波信号に対して復調器７５により復調処理が行われる。
【０００７】
図１０は第２の従来例に係る無線受信回路の構成を示すブロック図である。図１０の無線受信回路は、図９の無線受信回路に比較して、周波数変換器４００に代えて、局部発振器３０を内蔵した周波数変換器５００を備えたことを特徴としている。図１０において、局部発振器３０はトランジスタと共振回路で構成されており、周波数変換器５００には局部発振信号入力端子１２が無い。また、周波数変換器５００の局部発振器３０に用いられる共振回路のインダクタとコンデンサを半導体集積回路上に構成すれば小型の周波数変換器を実現することができる。
【０００８】
図１１は第３の従来例に係るダイバーシティ無線受信装置の構成を示すブロック図であり、図１１のダイバーシティ無線受信装置は、図９の無線受信装置を２系統有し、図９の無線受信装置に比較してさらに、スイッチ７７及びダイバーシティコントローラ８０を備えたことを特徴としている。２系統目の無線受信装置は、アンテナ７１ａと、高周波増幅器７２ａと、周波数変換器４００ａと、帯域通過フィルタ７３ａと、中間周波増幅器７４ａと、復調器７５ａとを備えて、図９の無線受信装置と同様に構成される。ここで、アンテナ７１と、アンテナ７１ａとは空間的に異なる場所に設けられる。また、周波数変換器４００ａは、高周波信号入力端子１０ａと、周波数変換信号出力端子１１ａと、発振信号入力端子１２ａと、混合器２０ａとを備えて、周波数変換器４００と同様に構成される。
【０００９】
局部発振器３１により発生される局部発振信号は局部発振信号入力端子１２を介して混合器２０に入力されるとともに、局部発振信号入力端子１２ａを介して混合器２０ａに入力される。また、復調器７５から出力される復調後のベースバンド信号はスイッチ７７の接点ａ側を介して出力端子７６に出力され、復調器７５ａから出力される復調後のベースバンド信号はスイッチ７７ａの接点ｂ側を介して出力端子７６に出力される。ダイバーシティコントローラ８０は、例えば、各復調器７５，７５ａからそれぞれ出力される各ベースバンド信号の例えばビット誤り率である信号品質に基づいて、より高い信号品質を有するベースバンド信号を選択するようにスイッチ７７を切り換えるように制御する。
【００１０】
図１１のダイバーシティ無線受信装置において、２個の周波数変換器４００，４００ａの各高周波信号入力端子１０，１０ａには、同一の無線周波数ｆＲＦの高周波信号が入力される。１個の局部発振器３１が同一の局部発振周波数ｆＬＯの局部発振信号を発生して２個の周波数変換器４００，４００ａに供給しているために、上記式（１）により２個の周波数変換器４００，４００ａの周波数変換信号出力端子１１，１１ａには同一の周波数変換成分を有する周波数変換信号が出力される。ここで、２個の高周波信号入力端子１０，１０ａには同一の周波数が入力されるが、空間的に異なる場所に配置された２個のアンテナ７１，７１ａからの受信された無線信号がそれぞれ入力されるために、２個の周波数変換信号出力端子１１，１１ａから出力された周波数変換信号は信号状態の異なる場合が多く、受信状態の良好であって信号品質が良い（例えば、周波数変換信号の信号レベルが大きい）周波数変換信号出力端子１１又は１１ａに対応する復調器７５又は７５ａから出力されるベースバンド信号を選択することにより、受信状態を大幅に改善できる。なお、図１１のダイバーシティ無線受信装置の構成は移動受信時に有効なために、例えば特許文献１において開示されている。
【００１１】
図１２は第４の従来例に係るダイバーシティ無線受信装置の構成を示すブロック図である。図１２のダイバーシティ無線受信装置は、図１１のダイバーシティ無線受信装置に比較して、以下の点が異なる。
（ａ）図１１の周波数変換器４００及び局部発振器３１に代えて、図１０の周波数変換器５００を備えたこと。
（ｂ）図１１の周波数変換器４００ａ及び局部発振器３１に代えて、図１０の周波数変換器５００と同様の構成を有する周波数変換器５００ａを備えたこと。ここで、周波数変換器５００ａは、高周波信号入力端子１０ａと、周波数変換信号出力端子１１ａと、局部発振器３０ａと、混合器２０ａとを備えて構成される。
【００１２】
以上のように構成された図１２のダイバーシティ無線受信装置は、複数個の周波数変換器５００，５００ａを用いるため装置全体が大きくなってしまうが、周波数変換器５００，５００ａのように局部発振器３０，３０ａを内蔵することにより、その装置構成を小型化できる。
【００１３】
【特許文献１】特開２００４−１４７０８２号公報。
【発明の開示】
【発明が解決しようとする課題】
【００１４】
図１０の無線受信装置では、図９の無線受信装置と比較して、局部発振器３０を含む無線受信装置全体の構成を小型化できる反面、周波数変換器５００の外部回路から局発振信号を入力することができず、無線受信装置を柔軟に構成することができない。
【００１５】
また、図１２のダイバーシティ無線受信装置では、各局部発振器３０，３０ａをそれぞれ各周波数変換器５００，５００ａに内蔵しているため、各周波数変換器５００，５００ａに対して１個の局部発振器３０，３０ａが必要となり、図１２の例では２個の局部発振器３０，３０ａが動作しており、図１１の構成と比較して装置を小型化できる反面、１個の局部発振器分の消費電流が増大してしまう。また、局部発振信号が他方の周波数変換器へのリークにより２個の局部発振器３０，３０ａ間で信号の干渉が発生し、これにより、受信された無線信号の信号品質の劣化を招く場合があるという問題点があった。
【００１６】
本発明の目的は以上の問題点を解決し、従来例に比較して構成が簡単であって、しかも消費電力を低減できる周波数変換器を含む受信回路と、それを用いた受信装置及び受信システムを提供することにある。
【課題を解決するための手段】
【００１７】
第１の発明に係る受信回路は、局部発振信号出力端子と、局部発振信号入力端子とを含む受信回路であって、
入力される高周波信号と、入力される局部発振信号とを乗算して混合することにより上記高周波信号を所定の周波数変換信号に周波数変換して出力する混合手段と、
所定の局部発振周波数を有する局部発振信号を発生して出力する局部発振手段と、
第１の場合において、上記局部発振手段から出力される局部発振信号を上記混合手段に出力しかつ上記局部発振信号出力端子を介して出力する一方、第２の場合において、上記局部発振信号入力端子を介して入力される局部発振信号を上記混合手段に出力するように切り換える第１のスイッチ回路と、
上記第１の場合において、上記局部発振手段への電源供給をオンするとともに、上記局部発振手段から出力される局部発振信号を上記混合手段に出力しかつ上記局部発振信号出力端子を介して出力するように上記第１のスイッチ回路を制御する一方、上記第２の場合において、上記局部発振手段への電源供給をオフするとともに、上記局部発振信号入力端子を介して入力される局部発振信号を上記混合手段に出力するように上記第１のスイッチ回路を制御する制御手段とを備えたことを特徴とする。
【００１８】
上記受信回路において、局部発振信号入出力端子と、
上記第１の場合において、上記局部発振信号から出力される局部発振信号を上記局部発振信号出力端子及び上記局部発振信号入出力端子を介して出力する一方、上記第２の場合において、上記局部発振信号入出力端子を介して入力される局部発振信号を上記局部発振信号入力端子及び上記第１のスイッチ回路を介して上記混合手段に出力するように切り換える第２のスイッチ回路とをさらに備え、
上記制御手段はさらに、上記第１の場合において、上記局部発振信号から出力される局部発振信号を上記局部発振信号出力端子及び上記局部発振信号入出力端子を介して出力するように上記第２のスイッチ回路を制御する一方、上記第２の場合において、上記局部発振信号入出力端子を介して入力される局部発振信号を上記局部発振信号入力端子及び上記第１のスイッチ回路を介して上記混合手段に出力するように上記第２のスイッチ回路を制御することを特徴とする。
【００１９】
また、複数個の上記受信回路を備えた受信装置であって、
上記受信装置は、第１と第２の受信回路を含み、
上記第１の受信回路の上記発振信号出力端子と、上記第２の受信回路の上記発振信号入力端子とが接続され、
上記第１の受信回路の上記制御手段は、上記第１の受信回路において、上記局部発振手段への電源供給をオンするとともに、上記局部発振手段から出力される局部発振信号を上記混合手段に出力しかつ上記局部発振信号出力端子を介して上記第２の受信回路の上記混合手段に出力するように上記第１のスイッチ回路を制御し、
上記第２の受信回路の上記制御手段は、上記第２の受信回路において、上記局部発振手段への電源供給をオフするとともに、上記局部発振信号入力端子を介して入力される局部発振信号を上記混合手段に出力するように上記第１のスイッチ回路を制御することを特徴とする。
【００２０】
さらに、複数個の上記受信回路を備えた受信装置であって、
上記受信装置は、第１と第２の受信回路を含み、
上記第１の受信回路の上記発振信号入出力端子と、上記第２の受信回路の上記発振信号入出力端子とが接続され、
上記第１の受信回路の上記制御手段は、上記第１の受信回路において、上記局部発振手段への電源供給をオンするとともに、上記局部発振手段から出力される局部発振信号を上記混合手段に出力しかつ上記局部発振信号出力端子、上記第２のスイッチ回路及び上記局部発振信号入出力端子を介して上記第２の受信回路の上記混合手段に出力するように上記第１と第２のスイッチ回路を制御し、
上記第２の受信回路の上記制御手段は、上記第２の受信回路において、上記局部発振手段への電源供給をオフするとともに、上記第１の受信回路から上記局部発振入出力端子を介して入力される局部発振信号を上記第２のスイッチ回路、上記局部発振信号入力端子及び上記第１のスイッチ回路を介して上記混合手段に出力するように上記第１と第２のスイッチ回路を制御することを特徴とする。
【００２１】
上記受信装置において、
上記第１の受信回路において、上記第１のスイッチ回路と上記混合手段との間に挿入され、上記局部発振信号の移相量を調整するための第１の移相手段をさらに備え、
上記第２の受信回路において、上記第１のスイッチ回路と上記混合手段との間に挿入され、上記局部発振信号の移相量を調整するための第２の移相手段をさらに備え、
上記第１と第２の制御手段は、上記第１の受信回路の上記混合手段に入力される局部発振信号と、上記第２の受信回路の上記混合手段に入力される局部発振信号とを実質的に同相となるように、上記第１の移相手段の移相量と、上記第２の移相手段の移相量とを制御することを特徴とする。
【００２２】
また、上記受信装置において、
互いに実質的に同一の無線周波数を有する高周波信号が、上記第１の受信回路の上記混合手段及び上記第２の受信回路の上記混合手段に入力され、
上記第１の受信回路の上記混合手段から出力される第１の周波数変換信号を第１の復調信号に復調し、上記第２の受信回路の上記混合手段から出力される第２の周波数変換信号を第２の復調信号に復調し、上記第１と第２の周波数変換信号の信号品質又は上記第１と第２の復調信号の信号品質に基づいて、より高い信号品質を有する周波数変換信号を復調した復調信号を選択し、もしくはより高い信号品質を有する復調信号を選択して出力するダイバーシティ受信手段をさらに備えたことを特徴とする。
【００２３】
さらに、上記受信装置において、
互いに異なる無線周波数を有する高周波信号が、上記第１の受信回路の上記混合手段及び上記第２の受信回路の上記混合手段に入力され、
上記第１の受信回路の上記混合手段から出力される第１の周波数変換信号を第１の復調信号に復調して出力し、上記第２の受信回路の上記混合手段から出力される第２の周波数変換信号を第２の復調信号に復調して出力する復調手段をさらに備えたことを特徴とする。
【００２４】
またさらに、上記ダイバーシティ受信手段を備えた受信装置と、上記復調手段を備えた受信装置とを備えた受信システムであって、
上記ダイバーシティ受信手段を備えた受信装置の動作と、上記復調手段を備えた受信装置の動作とを選択的に切り換えて動作させる動作切り換え手段を備えたことを特徴とする。
【発明の効果】
【００２５】
従って、本発明に係る受信回路によれば、局部発振手段の電源供給と、局部発振信号の入出力端子を使用用途によって制御できるため、不要な局部発振手段の消費電力を削減できる。
【００２６】
また、本発明に係る受信装置によれば、局部発振手段を含む受信回路においても、不要な局部発振手段の消費電力を削減できるため、小型で低消費電力な受信装置を実現でき、さらに場合に応じて複数の受信信号を受信することができる。
【発明を実施するための最良の形態】
【００２７】
以下、本発明に係る実施形態について図面を参照して説明する。なお、以下の各実施形態において、同様の構成要素については同一の符号を付している。
【００２８】
第１の実施形態．
図１は本発明の第１の実施形態に係る無線受信装置の構成を示すブロック図である。図１の無線受信装置は、図９の無線受信装置に比較して、図９の周波数変換器４００及び局部発振器３１に代えて、周波数変換器１００を含む受信回路を備えたことを特徴としている。以下、図９の無線受信装置との相違点を中心として説明する。ここで、周波数変換器１００は、高周波信号入力端子１０と、周波数変換信号出力端子１１と、発振信号入力端子１２と、発振信号出力端子１３と、混合器２０と、局部発振器３０と、制御回路４０とを備えて構成される。
【００２９】
図１において、アンテナ７１により受信された無線信号は高周波増幅器７２を介して、高周波信号として高周波信号入力端子１０を介して混合器２０の第１の入力端子に入力される。局部発振器３０により発生される局部発振信号は、局部発振信号出力端子１３に出力されるとともに、スイッチ回路６０の接点Ａ１及び共通端子ＡＹを介して混合器２０の第２の入力端子に出力される。また、外部回路から局部発振信号入力端子１２を介して入力される局部発振信号は、スイッチ回路６０の接点Ａ０及び共通端子ＡＹを介して混合器２０の第２の入力端子に出力される。制御回路４０は、スイッチ回路６０を接点Ａ０又は接点Ａ１に選択的に切り換えるようにスイッチ回路６０を制御するとともに、制御信号を用いて局部発振器３０の動作のオン／オフを制御し、すなわち、局部発振器３０への電源供給のオン／オフを制御する。
【００３０】
混合器２０は、第１の入力端子に入力される無線周波数ｆＲＦの高周波信号と、第２の入力端子に入力される局部発振周波数ｆＬＯの局部発振信号とを乗算することにより、当該乗算結果である周波数変換された周波数変換信号を発生して、周波数変換信号出力端子１１を介して帯域通過フィルタ７３に出力する。次いで、帯域通過フィルタ７３は、周波数変換信号から所定の中間周波数ｆＩＦの中間周波信号を帯域通過ろ波した後、中間周波増幅器７４を介して復調器７５に出力する。さらに、復調器７５は入力される中間周波信号を所定の復調方式を用いてベースバンド信号に復調して出力端子７６を介して外部装置に出力する。
【００３１】
以上のように構成された無線受信装置において、周波数変換器１００に内蔵した局部発振器３０からの局部発振信号を選択する場合は、制御回路４０は局部発振器３０への電源供給をオンし、スイッチ回路６０を接点Ａ１側に切り換えるように制御する。このとき、局部発振器３０からの局部発振信号はスイッチ回路６０の接点Ａ１及び共通端子ＡＹを介して混合器２０に出力される。一方、周波数変換器１００に内蔵した局部発振器３０の局部発振信号を利用しない場合は、外部回路からの局部発振信号を発振信号入力端子１２を介して入力し、制御回路４０は局部発振器３０への電源供給をオフし、かつスイッチ回路６０を接点Ａ０側に切り換えるようにスイッチ回路６０を制御する。このとき、外部回路からの局部発振信号は、スイッチ回路６０の接点Ａ０及び共通端子ＡＹを介して混合器２０に出力される。
【００３２】
また、図７は図１のスイッチ回路６０の具体的な構成例を示す回路図である。なお、図７のスイッチ回路６０の構成は、後述する図２乃至図６のスイッチ回路６０，６０ａ，６１，６１ａに適用することができる。図７のスイッチ回路６０は、３個の入出力端子８１，８２，８３と、１個の制御端子８４と、４個の電界効果トランジスタ（以下、ＦＥＴという。）８５，８６，８７，８８と、１個のインバータ８９とを備えて構成される。ここで、入出力端子８１，８２，８３はそれぞれスイッチ回路６０の共通端子ＡＹ、接点Ａ１、接点Ａ０に対応する。また、制御端子８４は制御回路４０に接続される。
【００３３】
図７において、入出力端子８１はＦＥＴ８７，８８の各ソース電極に接続され、入出力端子８２はソース接地のＦＥＴ８５，８７の各ドレイン電極に接続され、入出力端子８３はソース接地のＦＥＴ８６，８８の各ドレイン電極に接続される。制御端子８４を介して入力される制御信号は、ＦＥＴ８６，８７の各ゲート電極に印加されるとともに、インバータ８９を介してＦＥＴ８６，８７の各ゲート電極に印加される。なお、各ＦＥＴ８５乃至８８は、そのゲート電極へのハイレベル電圧信号ＶＨに応答してオンする一方、そのゲート電極へのローレベル電圧信号ＶＬに応答してオフするように動作するものとする。
【００３４】
以上のように構成されたスイッチ回路６０において、ハイレベル電圧信号ＶＨが制御端子８４に入力されたとき、ＦＥＴ８６，８７がオンする一方、ＦＥＴ８５，８８がオフし、入出力端子８１と入出力端子８２との間が導通し、入出力端子８３は接地される。一方、ローレベル電圧信号ＶＬが制御端子８４に入力されたとき、ＦＥＴ８５，８８がオンする一方、ＦＥＴ８６，８７がオフし、入出力端子８１と入出力端子８３との間が導通し、入出力端子８１は接地される。以上のように構成されたスイッチ回路６０を図１の周波数変換器１００に適用することにより、内蔵する局部発振器３０からの局部発振信号と、外部回路からの局部発振信号とのいずれか１つを選択して混合器２０に出力することができる。
【００３５】
以上説明したように、本実施形態に係る周波数変換器１００である受信回路を含む無線受信装置によれば、局部発振器３０への電源供給と、局部発振信号の入出力とを、使用用途によって制御できるため、不要な局部発振器３０の消費電力を削減でき、従来例に比較して消費電力を低減できる受信回路を実現することができる。
【００３６】
第２の実施形態．
図２は本発明の第２の実施形態に係る無線受信装置の構成を示すブロック図である。図２の無線受信装置は、図１の無線受信装置に比較して、周波数変換器１００に代えて、周波数変換器２００を備えたことを特徴としている。ここで、周波数変換器２００は、高周波信号入力端子１０と、周波数変換信号出力端子１１と、発振信号入力端子１２と、発振信号出力端子１３と、発振信号入出力端子１４と、２個のスイッチ回路６０，６１と、制御回路４１とを備えて構成される。
【００３７】
図２において、局部発振器３０により発生される局部発振信号は、発振信号出力端子１３であるスイッチ回路６１の接点Ｂ１及び共通端子ＢＹ並びに発振信号入出力端子１４に出力されるとともに、スイッチ回路６０の接点Ａ１及び共通端子ＡＹを介して混合器２０の第２の入力端子に出力される。また、外部回路から発振信号入出力端子１４を介して入力される局部発振信号は、スイッチ回路６１の共通端子ＢＹ及び接点Ｂ０と、スイッチ回路６０の接点Ａ０及び共通端子ＡＹを介して混合器６０に出力される。なお、スイッチ回路６１の接点Ｂ０は局部発振信号入力端子１２であり、スイッチ回路６１の接点Ｂ１は局部発振信号出力端子１３である。ここで、制御回路４１は、スイッチ回路６０を接点Ａ０又は接点Ａ１に選択的に切り換えるようにスイッチ回路６０を制御し、スイッチ回路６１を接点Ｂ０又は接点Ｂ１に選択的に切り換えるようにスイッチ回路６１を制御するとともに、制御信号を用いて局部発振器３０の動作のオン／オフを制御し、すなわち、局部発振器３０への電源供給のオン／オフを制御する。
【００３８】
以上のように構成された無線受信装置において、周波数変換器２００に内蔵した局部発振器３０からの局部発振信号を選択する場合は、制御回路４１は局部発振器３０への電源供給をオンし、スイッチ回路６０を接点Ａ１側に切り換えるように制御するとともに、スイッチ回路６１を接点Ｂ１側に切り換えるように制御する。このとき、局部発振器３０からの局部発振信号は、スイッチ回路６０の接点Ａ１及び共通端子ＡＹを介して混合器２０に出力されるとともに、スイッチ回路６１の接点Ｂ１及び共通端子ＢＹを介して外部回路に出力される。一方、周波数変換器２００に内蔵した局部発振器３０からの局部発振信号を利用しない場合は、外部回路からの局部発振信号を発振信号入力端子１４を介して入力し、制御回路４１は局部発振器３０への電源供給をオフし、スイッチ回路６０を接点Ａ０側に切り換えるように制御するとともに、スイッチ回路６１を接点Ｂ０側に切り換えるように制御する。このとき、外部回路からの局部発振信号は、スイッチ回路６１の共通端子ＢＹ及び接点Ｂ０、並びにスイッチ回路６０の接点Ａ０及び共通端子ＡＹを介して混合器２０に出力される。
【００３９】
以上説明したように、本実施形態に係る無線受信装置の周波数変換器２００によれば、図１の周波数変換器１００に比較して、スイッチ回路６１を追加して当該スイッチ回路６１を制御回路４１により制御することによって、１個の端子を削減できる。
【００４０】
なお、スイッチ回路６０，６１として図７のスイッチ回路を用いることができる。ここで、図７の入出力端子８１，８２，８３はそれぞれスイッチ回路６１の共通端子ＢＹ、接点Ｂ１及び接点Ｂ０に対応する。図７のスイッチ回路はＦＥＴ８５乃至８８を用いて構成されているために、スイッチ回路６１のように、双方向の入出力信号を取り扱う選択スイッチ手段として適している。
【００４１】
以上説明したように、本実施形態に係る周波数変換器２００である受信回路を含む無線受信装置によれば、局部発振器３０への電源供給と、局部発振信号の入出力とを、使用用途によって制御できるため、不要な局部発振器３０の消費電力を削減でき、また、端子数も削減でき、しかも従来例に比較して消費電力を低減できる受信回路を実現することができる。
【００４２】
第３の実施形態．
図３は本発明の第３の実施形態に係るダイバーシティ無線受信装置の構成を示すブロック図である。図３のダイバーシティ受信装置は、図１の２系統の無線受信装置を用いてダイバーシティ受信装置を構成したことを特徴としている。ここで、周波数変換器１００，１００ａは、図１の周波数変換器１００と同様の構成を有する。
【００４３】
図３において、アンテナ７１から復調器７５までの第１の系統の無線受信装置は、図１の無線受信装置と同様に構成される。また、アンテナ７１ａから復調器７５ａまでの第２の系統の無線受信装置は、アンテナ７１ａと、高周波増幅器７２ａと、周波数変換器１００ａと、帯域通過フィルタ７３ａと、中間周波増幅器７４ａと、復調器７５ａとを備えて、図１の無線受信装置と同様に構成される。ここで、周波数変換器１００ａは、高周波信号入力端子１０ａと、周波数変換信号出力端子１１ａと、発振信号入力端子１２ａと、発振信号出力端子１３ａと、混合器２０ａと、局部発振器３０ａと、制御回路４０ａとを備えて、周波数変換器１００と同様に構成される。なお、発振信号入力端子１２ａはスイッチ回路６１ａの接点Ｂ０であり、発振信号出力端子１３ａはスイッチ回路６１ａの接点Ｂ１である。また、周波数変換器１００の発振信号出力端子１３は周波数変換器１００ａの発振信号入力端子１２ａに接続されている。
【００４４】
アンテナ７１，７１ａは互いに空間的に異なる場所に設けられ、アンテナ７１，７１ａには、同一の無線周波数を有する同一の無線信号が受信され、アンテナ７１により受信された無線信号は高周波増幅器７２を介して周波数変換器１００の高周波信号入力端子１０を介して混合器２０に入力され、アンテナ７１ａにより受信された無線信号は高周波増幅器７２ａを介して周波数変換器１００ａの高周波信号入力端子１０ａを介して混合器２０ａに入力される。制御回路４０は局部発振器３０への電源供給をオンし、スイッチ回路６０を接点Ａ１側に切り換えるように制御する。また、制御回路４０ａは局部発振器３０ａへの電源供給をオフし、スイッチ回路６０ａを接点Ａ０側に切り換えるように制御する。ここで、制御回路４０，４０ａにより各制御処理は予め設定されてもよいし、後述するダイバーシティコントローラ７０から制御回路４０，４０ａを制御するようにしてもよい。従って、局部発振器３０からの局部発振信号は、スイッチ回路６０の接点Ａ１及び共通端子ＡＹを介して混合器２０に出力されるとともに、局部発振信号出力端子１３と、周波数変換器１００ａの局部発振信号入力端子１２ａと、スイッチ回路６０ａの接点Ａ０及び共通端子ＡＹとを介して混合器２０に出力される。次いで、混合器２０から帯域通過フィルタ７３及び中間周波増幅器７４を介して復調器７５までの信号処理は、図１の無線受信装置と同様に実行され、また、混合器２０ａから帯域通過フィルタ７３ａ及び中間周波増幅器７４ａを介して復調器７５ａまでの信号処理は、図１の無線受信装置と同様に実行される。
【００４５】
復調器７５からの復調されたベースバンド信号はスイッチ７７の接点ａ側を介して出力端子７６に出力され、復調器７５ａからの復調されたベースバンド信号はスイッチ７７の接点ｂ側を介して出力端子７６に出力される。ダイバーシティコントローラ７０は、各復調器７５，７５ａからのベースバンド信号の信号品質（例えば、無線信号がディジタル変調方式で変調されているときは、ビット誤り率である。）を検出し、より高い信号品質を有するベースバンド信号を選択するようにスイッチ７７を切り換えることにより、ダイバーシティ受信処理を実行する。
【００４６】
以上のように構成されたダイバーシティ無線受信装置においては、空間的に異なる場所に配置された２個のアンテナ７１，７１ａにより無線信号が受信され、各周波数変換器１００，１００ａには、電波状態の異なる２個の無線信号に対応する高周波信号が入力される。周波数変換器１００，１００ａでは、図１の周波数変換器１００と同様に、局部発振器３０からの局部発振信号を用いて周波数変換処理が実行されて、同一の中間周波数を有する中間周波信号が各周波数変換器１００，１００ａから出力される。そして、ダイバーシティコントローラ７０では、受信状態のより良好であるより高い信号品質を有するベースバンド信号を選択するようにスイッチ７７を切り換えることにより、ダイバーシティ受信処理を実行して受信状態の改善を図ることができる。
【００４７】
本実施形態では、周波数変換器１００ａの局部発振器３０ａの電源供給がオフされているため、局部発振器１個分の消費電流が削減され、また、局部発振器は１個しか動作していないため、各局部発振器１００，１００ａで発生される各局部発振信号間の干渉も発生せず、良好な受信状態を保つことが可能となる。このように１個の周波数変換器１００内の局部発振器３０のみを動作させて、もう一方の周波数変換器１００ａに局部発振信号を供給しているため、局部発振器３０，３０ａ内蔵の周波数変換器１００，１００ａにおいても低消費電力で良好な受信状態を保てるダイバーシティ受信装置を実現することができる。
【００４８】
以上の実施形態においては、２系統の無線受信装置を用いた例について説明したが、本発明はこれに限らず、３系統以上の無線受信装置を用いてダイバーシティ受信装置を構成してもよく、後述する図４乃至図６の実施形態でも同様である。その場合、１個の周波数変換器１００内の局部発振器３０のみを動作し、電源供給されている局部発振器３０を含む周波数変換器１００の発振信号出力端子１３と、電源供給されていない局部発振器（３０ａほか）を含む周波数変換器（１００ａほか）の局部発振信号入力端子１２とが接続されて、局部発振信号が周波数変換器１００から他の周波数変換器（１００ａほか）に供給される。
【００４９】
以上の実施形態においては、ダイバーシティコントローラ７０は、各ベースバンド信号の信号品質に基づいて、より高い信号品質を有するベースバンド信号を選択するようにスイッチ７７を切り換えるように制御しているが、これに限らず、中間周波信号又は高周波信号の例えば信号レベルなどの信号品質に基づいて、より高い信号品質を有するベースバンド信号を選択するようにスイッチ７７を切り換えるように制御してもよい。これは、以下に示す実施形態においても同様である。
【００５０】
第４の実施形態．
図４は本発明の第４の実施形態に係るダイバーシティ無線受信装置の構成を示すブロック図である。図４のダイバーシティ無線受信装置は、図３のダイバーシティ無線受信装置に比較して以下の点が異なる。
（１）図３の周波数変換器１００に代えて、図２の周波数変換器２００を備える。
（２）図３の周波数変換器１００ａに代えて、図２の周波数変換器２００と同様の周波数変換器２００ａを備える。ここで、周波数変換器２００ａは、高周波信号入力端子１０ａと、周波数変換信号出力端子１１ａと、発振信号入力端子１２ａと、発振信号出力端子１３ａと、発振信号入出力端子１４ａと、２個のスイッチ回路６０ａ，６１ａと、制御回路４１ａとを備えて構成される。
（３）制御回路４１は、局部発振器３０への電源供給をオンし、スイッチ回路６０を接点Ａ１側に切り換えるように制御するとともに、スイッチ回路６１を接点Ｂ１側に切り換えるように制御する。
（４）制御回路４１ａは、局部発振器３０ａへの電源供給をオフし、スイッチ回路６０ａを接点Ａ０側に切り換えるように制御するとともに、スイッチ回路６１ａを接点Ｂ０側に切り換えるように制御する。
【００５１】
以上のように構成されたダイバーシティ無線受信装置において、周波数変換器３０からの局部発振信号は、スイッチ回路６０の接点Ａ１及び共通端子ＡＹを介して混合器２０に出力されるとともに、スイッチ回路６１の接点Ｂ１及び共通端子ＢＹと、局部発振信号入出力端子１４と、周波数変換器２００ａの局部発振信号入出力端子１４ａと、スイッチ回路６１ａの共通端子ＢＹ及び接点Ｂ０と、スイッチ回路６０ａの接点Ａ０及び共通端子ＡＹとを介して混合器２０ａに出力される。
【００５２】
本実施形態では、周波数変換器２００ａの局部発振器３０ａの電源供給がオフされているため、局部発振器１個分の消費電流が削減され、また、局部発振器は１個しか動作していないため、各局部発振器２００，２００ａで発生される２つの局部発振信号間の干渉も発生せず、良好な受信状態を保つことが可能となる。このように１個の周波数変換器２００内の局部発振器３０のみを動作させて、もう一方の周波数変換器２００ａに局部発振信号を供給しているため、局部発振器３０，３０ａ内蔵の周波数変換器２００，２００ａにおいても低消費電力で良好な受信状態を保てるダイバーシティ受信装置を実現することができる。
【００５３】
第５の実施形態．
図５は本発明の第５の実施形態に係るダイバーシティ無線受信装置の構成を示すブロック図である。図５のダイバーシティ無線受信装置は、図３のダイバーシティ無線受信装置に比較して以下の点が異なる。
（１）局部発振器１００に代わる局部発振器１１０において、スイッチ回路６０の共通端子ＡＹと、混合器２０の第２の入力端子との間に、制御回路４２により制御される移相量を有する移相器５０を挿入して設けたこと。
（２）局部発振器１００ａに代わる局部発振器１１０ａにおいて、スイッチ回路６０ａの共通端子ＡＹと、混合器２０ａの第２の入力端子との間に、制御回路４２ａにより制御される移相量を有する移相器５０ａを挿入して設けたこと。
（３）制御回路４２は、制御回路４０の制御処理を実行するとともに、移相器５０の移相量を制御する。
（４）制御回路４２ａは、制御回路４０ａの制御処理を実行するとともに、移相器５０ａの移相量を制御する。
（５）制御回路４２，４２ａは、各混合器２０，２０ａに入力される２つの局部発振信号の位相が実質的に同相となるように、移相器５０，５０ａの移相量を制御する。
【００５４】
図３のダイバーシティ無線受信装置においては、周波数変換器１００ａにおいて周波数変換器１００からの局部発振信号を用いているために、周波数変換器１００ａに供給される局部発振信号は、周波数変換器１００，１００ａの内外の配線や入力端子又は出力端子の寄生抵抗や寄生容量等の影響により位相が遅れてしまう。従って、周波数変換器１０００の混合器２０の第２の入力端子に入力される局部発振信号と、周波数変換器１００ａの混合器２０ａの第２の入力端子に供給される発振信号との間に位相差が発生する。その結果、周波数変換器１００，１００ａの各周波数変換信号出力端子１１からの２個の変換信号にも位相差が発生してしまうという問題点がある。ここで、２個の周波数変換信号出力端子１１からの２つの周波数変換信号のうち、受信状態のよいベースバンド信号に対応する周波数変換信号を選択してベースバンド信号に復調して出力するが、スイッチ７７によるベースバンド信号の切り換え時において各ベースバンド信号間で位相差が発生して、位相の不連続な時間が生じてしまう。特に、各高周波信号入力端子１０，１０ａに入力される高周波信号が位相変調方式で変調されているときは、その周波数変換信号位相が不連続となり、その時間のベースバンド信号の受信データに誤りが発生する可能性がある。よって、移相器５０，５０ａにより、周波数変換器１１０の混合器２０の第２の入力端子に入力される局部発振信号と、周波数変換器１１０ａの混合器２０ａの第２の入力端子に入力される局部発振信号との間の位相差が実質的にゼロとなり、これら２つの局部発振信号が同相でそれぞれ混合器２０，２０ａに供給されるように、各移相器５０，５０ａの移相量を調整することにより、上記ベースバンド信号における位相の不連続な時間が発生せず、受信データの誤りも発生しない。
【００５５】
図８は図５の移相器５０，５０ａの構成を示す回路図である。各移相器５０，５０ａは、入力端子９１と、出力端子９２と、４個の制御端子９３，９４，９５，９６と、２個の抵抗５１，５３と、４個のＦＥＴ５２，５４，５６，５８と、２個のキャパシタ５５，５７とを備えて構成される。入力端子９１は各スイッチ回路６０，６０ａの共通端子ＡＹに接続され、出力端子９２は各混合器２０，２０ａの第２の入力端子に接続され、制御端子９３，９４，９５，９６は制御回路４２又は４２ａに接続される。
【００５６】
図８において、入力端子９１は、抵抗５１並びにＦＥＴ５２のソース及びドレインを介して出力端子９２に接続され、ＦＥＴ５２のゲートは制御端子９３に接続される。また、入力端子９１は、抵抗５３並びにＦＥＴ５４のソース及びドレインを介して出力端子９２に接続され、ＦＥＴ５４のゲートは制御端子９４に接続される。さらに、出力端子９２は、キャパシタ５５並びにＦＥＴ５６のドレイン及びソースを介して接地され、ＦＥＴ５６のゲートは制御端子９５に接続される。またさらに、出力端子９２は、キャパシタ５７並びにＦＥＴ５８のドレイン及びソースを介して接地され、ＦＥＴ５８のゲートは制御端子９６に接続される。
【００５７】
以上のように構成された移相器５０，５０ａにおいては、制御回路４２又は４２ａから各制御端子９３乃至９６を介して入力される各制御信号によって、各ＦＥＴ５２，５４，５６，５８がオン又はオフされ、抵抗５１，５３と、キャパシタ５５，５７で構成される低域通過フィルタの合成抵抗値と合成容量値を変化させることができる。ここで、抵抗５１，５３の合成抵抗値をＲとし、キャパシタ５５，５７の合成容量値をＣとし、局部発振周波数ｆＬＯの局部発振信号を入力端子９１から入力して出力端子９２から出力するときの局部発振信号における入力端子９１と出力端子９２との間の位相差Δθは、次式（２）で表される。
【００５８】
［数２］
Δθ＝−ｔａｎ−１（２πｆＬＯＣＲ）      （２）
【００５９】
上記式（２）から明らかなように、入力される局部発振信号の周波数ｆＬＯにおける合成成抵抗値Ｒと合成容量値Ｃを調整すれば、最適な位相差Δθを設定することができる。さらに、当該低域通過フィルタの利得の周波数特性により、局部発振信号の高調波成分も減衰することもでき、周波数変換信号出力端子１１，１１ａにおける周波数変換信号の高調波も減衰でき、良好な受信周波数特性を実現できる。
【００６０】
なお、図８の例では、抵抗５１，５３と、キャパシタ５５，５７をそれぞれ２個用いたが、本発明はこれに限らず、それぞれ１個又は複数個で構成してもよい。また、図８の例では、抵抗５１，５３と、キャパシタ５５，５７のうち使用する素子を、ＦＥＴ５２，５４，５６，５８のオン又はオフにより選択的に接続することにより、合成抵抗値と合成容量値の少なくとも一方を変化するように構成したが、本発明はこれに限らず、キャパシタ５５，５７に代えて可変容量ダイオードを用いて、もしくは、キャパシタ５５，５７に可変容量ダイオードを並列に又は直列に接続し、可変容量ダイオードに印加する逆バイアス直流電圧を変化することにより合成容量値を変化させてもよい。
【００６１】
以上説明したように、本実施形態によれば、１個の周波数変換器１１０内の局部発振器３０のみを動作させて、もう一方の周波数変換器１１０ａの混合器２０ａに局部発振信号を供給し、さらに、２個の周波数変換信号出力端子１１，１１ａから出力される各周波数変換信号の位相を互いに実質的に同相に設定することができるために、上述の位相差があるときの問題点を解決するとともに、低消費電力で良好な受信状態を保てるダイバーシティ受信装置を実現することができる。
【００６２】
なお、以上の実施形態においては、図３のダイバーシティ無線受信装置において移相器５０，５０ａをさらに備えているが、本発明はこれに限らず、図４のダイバーシティ無線受信装置において移相器５０，５０ａをさらに備えてもよい。
【００６３】
第６の実施形態．
図６は本発明の第６の実施形態に係るダイバーシティ無線受信装置の構成を示すブロック図である。図６のダイバーシティ無線受信装置は、図５のダイバーシティ無線受信装置に比較して、アンテナ７１を含む第１の系統の無線受信装置と、アンテナ７１ａを含む第２の系統の無線受信装置とにより同一の無線周波数ｆＲＦを有する無線信号を受信する場合（以下、第１のケースという。）と、アンテナ７１を含む第１の系統の無線受信装置と、アンテナ７１ａを含む第２の系統の無線受信装置とにより互いに異なる無線周波数ｆＲＦ１，ｆＲＦ２を有する２つの無線信号を受信する場合（以下、第２のケースという。）とに応じて、周波数変換器１００，１００ａ内の局部発振器３０，３０ａの電源供給、並びにスイッチ回路６０，６０ａの切り換え制御を変更することを特徴としている。具体的には、以下の通りである。
【００６４】
第１のケースにおいて、制御回路４０は、局部発振器３０への電源供給をオンするとともに、スイッチ回路６０を接点Ａ１側に切り換えるようにスイッチ回路６０を制御する。また、制御回路４０ａは、局部発振器３０ａへの電源供給をオフするとともに、スイッチ回路６０ａを接点Ａ０側に切り換えるようにスイッチ回路６０ａを制御する。このとき、周波数変換器１００内の混合器３０からの局部発振信号は混合器２０に出力されるとともに、周波数変換器１００ａ内の混合器２０ａにも出力され、図６のダイバーシティ無線受信装置は、図５のダイバーシティ無線受信装置と同様に、ダイバーシティ無線受信処理を実行するように動作する。
【００６５】
次いで、第２のケースにおいて、制御回路４０は、局部発振器３０への電源供給をオンするとともに、スイッチ回路６０を接点Ａ１側に切り換えるようにスイッチ回路６０を制御する。また、制御回路４０ａは、局部発振器３０ａへの電源供給をオンするとともに、スイッチ回路６０ａを接点Ａ１側に切り換えるようにスイッチ回路６０ａを制御する。ここで、局部発振器３０により発生される局部発振信号の局部発振周波数ｆＬＯ１と、局部発振器３０により発生される局部発振信号の局部発振周波数ｆＬＯ２とは、受信される無線信号の無線周波数ｆＲＦ１，ｆＲＦ２の周波数差に対応し、中間周波信号の中間周波数が実質的に同一となって、互いに異なるように設定される。すなわち、２個の周波数変換信号出力端子１１，１１ａから実質的に同一の中間周波数ｆＩＦを有する中間周波信号を出力させるために、周波数変換器１００内の局部発振器３０は、局部発振周波数ｆＲＦ１±ｆＩＦの局部発振信号を発生し、周波数変換器１００ａ内の局部発振器３０ａは、局部発振周波数ｆＲＦ２±ｆＩＦの局部発振信号を発生させればよい。
【００６６】
なお、図６の回路に限定せずに、各復調器７５，７５ａからそれぞれベースバンド信号を出力させる構成（以下、第６の実施形態の変形例という。）の場合（又は動作）と、図６の回路のように、より高い信号品質を有するベースバンド信号を選択するダイバーシティ無線受信する場合（又は動作）とを切り換える受信システムを構成すれば、場合に応じてダイバーシティ受信処理を実行したり、２個の無線周波数の異なる無線信号を受信する無線受信装置とすることができる。例えば、ダイバーシティ無線受信を行わない場合は、一方の無線受信装置をベースバンド信号の受信データの記憶装置に接続したり、チャンネルサーチに利用したり、もしくは、２個の放送波信号又は２個の通信波信号を同時に画面表示する使い方を実現できる。
【００６７】
以上説明したように、各周波数変換器１００，１００ａ内の局部発振器３０，３０ａへの電源供給や、各種スイッチ回路６０，６０ａの接続先を場合に応じて切り換えることにより、場合に応じて２個の無線信号を受信することができるダイバーシティ受信装置を実現することができる。
【００６８】
なお、以上の実施形態においては、図３のダイバーシティ無線受信装置を用いた例について説明したが、本発明はこれに限らず、図４又は図５のダイバーシティ無線受信装置を用いてもよい。
【００６９】
変形例．
以上の実施形態においては、無線受信装置又はダイバーシティ無線受信装置について説明しているが、本発明はこれに限らず、同軸ケーブルなどの有線伝送路を介して伝送される高周波信号を受信する有線受信装置などのチューナ装置又は受信装置に広く適用することができる。
【産業上の利用可能性】
【００７０】
以上説明したように、本発明に係る周波数変換器１００，１００ａを含む受信回路によれば、不要な局部発振器の消費電力を削減できる。また、本発明に係る受信装置によれば、従来例に比較して、装置を小型かつ低消費電力にでき、さらに場合に応じて複数の受信信号を受信することができるため、携帯性や長時間受信と高機能性を要求されるチューナなどの受信装置に有用である。
【図面の簡単な説明】
【００７１】
【図１】本発明の第１の実施形態に係る無線受信装置の構成を示すブロック図である。
【図２】本発明の第２の実施形態に係る無線受信装置の構成を示すブロック図である。
【図３】本発明の第３の実施形態に係るダイバーシティ無線受信装置の構成を示すブロック図である。
【図４】本発明の第４の実施形態に係るダイバーシティ無線受信装置の構成を示すブロック図である。
【図５】本発明の第５の実施形態に係るダイバーシティ無線受信装置の構成を示すブロック図である。
【図６】本発明の第６の実施形態に係るダイバーシティ無線受信装置の構成を示すブロック図である。
【図７】図１乃至図６のスイッチ回路６０，６０ａ，６１，６１ａの具体的な構成例を示す回路図である。
【図８】図５の移相器５０，５０ａの具体的な構成例を示す回路図である。
【図９】第１の従来例に係る無線受信回路の構成を示すブロック図である。
【図１０】第２の従来例に係る無線受信回路の構成を示すブロック図である。
【図１１】第３の従来例に係るダイバーシティ無線受信装置の構成を示すブロック図である。
【図１２】第４の従来例に係るダイバーシティ無線受信装置の構成を示すブロック図である。
【符号の説明】
【００７２】
１０，１０ａ…高周波信号入力端子、
１１，１１ａ…周波数変換信号出力端子、
１２，１２ａ…発振信号入力端子、
１３，１３ａ…発振信号出力端子、
１４，１４ａ…発振信号入出力端子、
２０，２０ａ…混合器、
３０，３０ａ…局部発振器、
４０，４０ａ…制御回路、
５０，５０ａ…移相器、
６０，６０ａ，６１，６１ａ…スイッチ回路、
７０…ダイバーシティコントローラ、
７１…アンテナ、
７２…高周波増幅器、
７３…帯域通過フィルタ、
７４…中間周波増幅器、
７５…復調器、
７６…出力端子、
７７…スイッチ、
１００，１００ａ，１１０，１１０ａ，２００，２００ａ…周波数変換器。
【図１】
2006203653.tif 000003
【図２】
2006203653.tif 000004
【図３】
2006203653.tif 000005
【図４】
2006203653.tif 000006
【図５】
2006203653.tif 000007
【図６】
2006203653.tif 000008
【図７】
2006203653.tif 000009
【図８】
2006203653.tif 000010
【図９】
2006203653.tif 000011
【図１０】
2006203653.tif 000012
【図１１】
2006203653.tif 000013
【図１２】
2006203653.tif 000014